(57)【要約】【課題】撓み可能な複数のペン先片を環状に配設して、先端側を先窄み状としたペン体を備えた筆記具おいて、筆記時の筆圧によりペン体が後退し、万年筆のペン先のように筆跡幅が変化可能で抑揚感があり、かつペン体の筆圧による後退量および筆圧による筆跡幅の量を調整できる筆記具を得る。【解決手段】内部材８上に対して前後動可能に配した外筒部材９上に、撓み可能な複数のペン先片５を有したペン体３を、外筒部材９に対して前後動可能に配して、軸体２内に装着する。軸体２後方に、該軸体２に対して回動可能な第１調整回動体３６と第２調整回動体４１を配するとともに、各調整回動体３６、４１の内側に各調整回動体３６、４１の回動により前後動可能な第１調整移動体３５と第２調整移動体４０を設けて、ペン体３または外筒部材９を前方方向に付勢するコイルスプリング４９、５０の付勢力を調整可能とする。【選択図】図３
2012091448.tif 000002
【特許請求の範囲】
【請求項１】
前後に延びたインキ流通路と、先端部の側面にインキ流通路に連通したスリットを有した内部材に、先窄み状の前方部を有し、該前方部の先端部に前記内部材のスリットに連通するスリットを有した外筒部材を内部材に対して前後動可能に挿着し、一端側に撓み可能な複数のペン先片を有し、他端側を各ペン先片の後端を連接した連接部としたペン体を、連接部を環状にして外筒部材の外周上に配して各ペン先片を環状に配列し、各ペン先片の先端を全体形状が先窄み状となるように集合して外筒部材の前方部を被覆し、各ペン先片の内壁面と外筒部材の前方部の外壁面との間に毛管作用によりインキ溜り部となる空間部を形成するとともに、外筒部材に対して前後動可能に配し、軸体内に、内部材が軸体に対して前進することなく、ペン体および外筒部材が軸体および内部材に対して前後動可能に配し、軸体の後方に、該軸体に対して回動可能な第１調整回動体と、該第１調整回動体の内側にねじ嵌合して第１調整回動体の回動により前後動可能とした、前方に突出した複数のばね受け部を有した第１調整移動体と、前記軸体および第１調整回動体に対して回動可能な第２調整回動体と、該第２調整回動体の内側にねじ嵌合して第２調整回動体の回動により前後動可能とした、前方に突出した複数のばね受け部を有した第２調整移動体とを前後に配列して設け、一方端を第１調整移動体のばね受け部に当接したばねによりペン体を前方方向に付勢し、一方端を第２調整移動体のばね受け部に当接したばねにより外筒部材を前方方向に付勢し、筆記時の筆圧によりペン体および外筒部材が内部材に対して後退可能とし、内部材の鍔部の後端に当接して配したインキ流動手段により、軸筒内に収容したインキを内部材のインキ流通路に流動してなる筆記具。
【請求項２】
前記ペン体のペン先片に、先端に開口した切割溝を先端部に設けて、ペン先片の先端にインキを流出するためのインキ流出路とした、請求項１に記載の筆記具。
【発明の詳細な説明】
【技術分野】
【０００１】
本発明は、複数のペン先片を環状に配列し、各ペン先片の先端を全体形状が先窄み状となるように集合したペン先を有した筆記具に関する。
【背景技術】
【０００２】
従来、どの方向からも筆記面に筆記できるペン先として、複数のペン先片を環状に配列して設けるとともに、各ペン先片の先端を全体形状が先窄み状となるように集合したペン先は知られている。
【０００３】
例えば、特開平９−１５６２７９号公報により開示されている、筒形状の基部と、その一端側に、連続して断面円弧状に突出され、軸心の円周上に等間隔に相互の間にスリット状の溝を設けて形成された複数の櫛歯状片とからなり、各櫛歯状片の先端に全体として半球形状を構成する半球分割部を有するペン先基本体と、ペン先基本体の外周状に嵌合可能な筒形に形成され、複数の櫛歯状片を軸心方向に向けて押圧し、収束する収束部材とを備え、ペン先基本体に収束部材を嵌め込むことにより、ペン先基本体の複数の櫛歯状片をその先端方向に向けて漸次縮径する円錐形に収束し、その先端に半球状の筆記部を構成してなる構造のものがあり、こうしたペン先を装着した筆記具についても、特開２０１０−１１５７８６号により提案されている。
【０００４】
ところで、万年筆においては、筆記時における筆圧によりペンの先端に形成された切割溝により先端が開き、紙面等の筆記面へインキを流出するための前記切割溝で構成されたインキ流出路の幅が広くなるので、筆跡幅に変化をもたらすことはできるが、前記したような、複数のペン先片を環状に配列し、各ペン先片の先端を全体形状が先窄み状となるよう集合したペン先を有した筆記具においては、筆記面へインキを流出するためのインキ流出路は、各櫛歯状片（ペン先片）間の隙間で構成しているために、筆記時における筆圧により各櫛歯状片（ペン先片）間の隙間量はあまり変化しないので、万年筆のように筆記時の筆圧により筆跡幅が変化することはなかった。また、前記構造の筆記具では、筆記時の筆圧により各ペン先片が後退することがないので抑揚感がないという問題があった。
【先行技術文献】
【特許文献】
【０００５】
【特許文献１】特開平９−１５６２７９号公報
【特許文献２】特開２００３−３３５０８９号公報
【発明の概要】
【発明が解決しようとする課題】
【０００６】
本発明は前記事実に鑑みてなされたもので、撓み可能な複数のペン先片を環状に配列して、先端側を先窄み状としたペン体を備えた筆記具おいて、筆記時の筆圧によりペン体が後退し、万年筆のペン先のように筆跡幅が変化可能で抑揚感があり、かつペン体の筆圧による後退量および筆圧による筆跡幅の量を調整できる筆記具を得ることにある。
【課題を解決するための手段】
【０００７】
本発明は、
「１．前後に延びたインキ流通路と、先端部の側面にインキ流通路に連通したスリットを有した内部材に、先窄み状の前方部を有し、該前方部の先端部に前記内部材のスリットに連通するスリットを有した外筒部材を内部材に対して前後動可能に挿着し、一端側に撓み可能な複数のペン先片を有し、他端側を各ペン先片の後端を連接した連接部としたペン体を、連接部を環状にして外筒部材の外周上に配して各ペン先片を環状に配列し、各ペン先片の先端を全体形状が先窄み状となるように集合して外筒部材の前方部を被覆し、各ペン先片の内壁面と外筒部材の前方部の外壁面との間に毛管作用によりインキ溜り部となる空間部を形成するとともに、外筒部材に対して前後動可能に配し、軸体内に、内部材が軸体に対して前進することなく、ペン体および外筒部材が軸体および内部材に対して前後動可能に配し、軸体の後方に、該軸体に対して回動可能な第１調整回動体と、該第１調整回動体の内側にねじ嵌合して第１調整回動体の回動により前後動可能とした、前方に突出した複数のばね受け部を有した第１調整移動体と、前記軸体および第１調整回動体に対して回動可能な第２調整回動体と、該第２調整回動体の内側にねじ嵌合して第２調整回動体の回動により前後動可能とした、前方に突出した複数のばね受け部を有した第２調整移動体とを前後に配列して設け、一方端を第１調整移動体のばね受け部に当接したばねによりペン体を前方方向に付勢し、一方端を第２調整移動体のばね受け部に当接したばねにより外筒部材を前方方向に付勢し、筆記時の筆圧によりペン体および外筒部材が内部材に対して後退可能とし、内部材の鍔部の後端に当接して配したインキ流動手段により、軸筒内に収容したインキを内部材のインキ流通路に流動してなる筆記具。
２．前記ペン体のペン先片に、先端に開口した切割溝を設けて、ペン先片の先端にインキを流出するためのインキ流出路とした、前記１項に記載の筆記具。」
である。
【０００８】
本発明において、前記インキ流動手段とは、過剰にインキを流動することなく適宜な量のインキを後端から前端に流動可能な、例えば櫛溝を有したペン芯や繊維束状のインキ誘導芯等のことである。
【発明の効果】
【０００９】
本発明は前記したような構造なので、ペン体が筆記時の筆圧により後方に移動するので筆跡幅が変化可能で筆記時における抑揚感を感ずることができる。また、第１調整回動体および／または第２調整回動体を適宜回動して第１調整移動体および／または第２調整移動体を内部材に対し前後動することで、同じ筆圧によるペン体および／または外筒部材の内部材に対する後退量を調整することができるので、同じ筆圧による筆跡幅や抑揚感を調整することができる。
【００１０】
請求項２に係る発明とすることで、筆記時の筆圧により各ペン先片が後退して先端が互いに離間し、各ペン先片間の隙間が広くなり隙間で構成されたインキ流出路がその機能が低下しても、切割溝によるインキ流出路によりインキがペン先片の先端に流出するので、筆記具としてのインキ出性能の低下を防ぐことができる。
【図面の簡単な説明】
【００１１】
【図１】本発明の筆記具の第１の実施例を示す、筆記具の斜視図である。
【図２】第１の実施例における筆記具の内部構造の概略を示す、要部を断面した図である。
【図３】図２における筆記具の要部の拡大断面図である。
【図４】図３におけるにおけるＡ−Ａ線部分の拡大端面図である。
【図５】図３におけるにおけるＢ−Ｂ線部分の拡大端面図である。
【図６】図３におけるにおけるＣ−Ｃ線部分の拡大端面図である。
【図７】第１の実施例におけるペン体の斜視図である。
【図８】第１の実施例における第１調整回動体と第１調整移動体の斜視図である。
【図９】図８における第１調整回動体と第１調整移動体を組立てた状態を示した斜視図である。
【図１０】第１の実施例における第２調整回動体と第２調整移動体の斜視図である。
【図１１】図１０における第２調整回動体と第２調整移動体を組立てた状態を示した斜視図である。
【図１２】第１調整回動体、第１調整移動体、第２調整回動体および第２調整移動体を組立てた状態を示した斜視図である。
【図１３】第１の実施例におけるペン芯を保持するためのペン芯保持部材の斜視図である。
【図１４】第１調整回動体、第１調整移動体、第２調整回動体および第２調整移動体を組立てたものを、さらにペン芯保持部材に装着した状態を示した斜視図である。
【図１５】図３において、ペン体および外筒部材を内部材に対して後退させた状態を示した図である。
【図１６】本発明の筆記具の第２の実施例を示し、筆記具の内部構造の概略を示す要部を断面した図である。
【発明を実施するための形態】
【００１２】
本発明の筆記具は、一端側に撓み可能な複数のペン先片を有し、他端側を各ペン先片の後端を連接した連接部としたペン体を備えた筆記具において、ペン体を筆記時の筆圧により後方へ移動可能に配するとともにばねを介して前方方向に付勢し、かつペン体の内部に設けたペン体の内壁面に当接する部分を有した外筒部材を後方へ移動可能に配するとともにばねを介して前方方向に付勢し、前記ばねによる付勢力を変化させることで、筆圧によるペン体の後退量および外筒部材の後退量を調整可能として、ペン体の各ペン先片の隙間量を調整して、筆跡幅の大小や抑揚感の強弱を調整可能とするものである。
【実施例１】
【００１３】
本発明の筆記具の第１の実施例を、図１〜図１５を用いて説明する。本実施例の筆記具１は、軸体２に装着するペン体３を、図７に示すように、一端側に隙間４を介して撓み可能に平板状に形成した６枚のペン先片５を有し、後端側を連接して連接部６とし、各ペン先片５の先端部に軸心方向に延び先端に開口した切割溝で形成したインキ流出路７を設け、連接部６を環状にして各ペン先片５を周状に配列し、各ペン先片５をプレス等により内側に変形して略円錐状となるようにペン先片５の先端を集合して形成してある。
【００１４】
図２および図３に示すように、軸体２内には、先端に最小径な先端部８ａと、該先端部８ａより若干大径な細径部８ｂと、該細径部８ｂより大径な中継部８ｃと、該中継部８ｃより大径な本体部８ｄと、該本体部８ｄの後端にリング状の凹溝８ｅと、および本体部８ｄより大径な鍔部８ｆとを順次連接して形成した形状の内部材８と、先端部９ａｂに貫通孔１０を有した先窄み状の前方部９ａと、前記内部材８の本体部８ｄの外径より大径で鍔部８ｆの外径より小径とした本体部９ｂと、該本体部９ｂより小径なばね挿着部９ｃとで構成された外筒部材９とを、内部材８の先端部８ａおよび細径部８ｂを外筒部材９の貫通孔１０に挿入し、内部材８の鍔部８ｆを外筒部材９の後端より後方（図２において右側）に位置させ、外筒部材９の本体部９ｂの後端に、内方に突出して設けた軸心方向の長さが前記凹溝８ｅの軸心方向の長さより短い突出部１１を内部材８の凹溝８ｅに係合し、内筒部材８を外筒部材９内に、内筒部材８に対して外筒部材９を前後動可能に配して、軸体２内に挿着してある。
【００１５】
軸体２の内部形状は、前方内部２ａと、前記内部材８の鍔部８ｆが挿入可能な前方内部２ａの内径より大径な後方内部２ｂとで構成してあり、外筒部材９を前方内部２ａに位置し、内部材８の鍔部８ｆを後方内部２ｂに位置させて軸体２の前方内部２ａの後端に当接してある。
【００１６】
外筒部材９は、突出部１１が内部材８の凹溝８ｅに係合しているので、突出部１１が凹溝８ｅにより形成される段部１２に当接して内部材８の前方（図３において左側方向）へ抜け出さないようにしてある。外筒部材９は軸径方向に２分割した構造であり、外筒部材９の外周面に大径部１３ａと小径部１３ｂとからなるリング状の保持部材１３を、小径部１３ｂの後端を外筒部材９の本体部９ｂの後端に形成した外方に突出したリング状の係止突起部１４に当接して装着し、外筒部材９が分離しないようにしてある。
【００１７】
内部材８には、先端部８ａの先端と鍔部８ｆの後端に開口して貫通した貫通孔１５を形成して、内部に繊維束状のインキ誘導芯を挿入してなるインキ流通路１６を設けてある。また、先端部８ａには、先端部８ａの内外を連通する軸心方向に延びたスリット１７を４つ設けてある。外筒部材９の前方部９ａの先端部９ａｂの前記スリット１７に対向した部分には、先端部９ａｂの内外を貫通する前記スリット１７の周方向の幅と略同幅のスリット１８を４つ設けてある（図４を参照）。
【００１８】
外筒部材９のスリット１８の後方（図３おいて右側方向）の外周面には、ペン体３の各ペン先片５のインキ流出路７の周りの内壁面に当接する当接部１９を設けてあり、該当接部１９の前方の先端部９ａｂの部分の外径を当接部１９の外径より小径としてある。その外筒部材９の前方部９ａを被覆するように、前記連接部６を環状にして各ペン先片５を環状に配列したペン体３を、軸体２内に軸体２および外筒部材９に対して前後動可能に挿入し、前記当接部１９をペン体３の各ペン先片５のインキ流出路７の周りの内壁面に当接し、外筒部材９のスリット１８の周りの外壁面とペン体３の各ペン先片５のインキ流出路７の周りの内壁面との間に毛管作用によりインキ溜り部となる空間部２０を形成してある。
【００１９】
前記ペン体３の連接部６と軸体２との間には、移動体２１を、軸体２に対して前後に移動可能に挿入してあり、移動体２１の内壁面には、内方に向って突出したリング状の突起部２２を設けてあり、該突起部２２の前方端面をペン体３の連接部６の後端および前記保持部材１３の大径部１３ａと小径部１３ｂとで形成される段部２３に当接して配してある。突起部２２の前方の移動体２１の内壁面の対向した２カ所にはガイド突起２４を接着剤等により固着してあり、該ガイド突起２４をペン体３に形成したガイド突起２４の大きさと略同等の係止孔２５（図７を参照）に嵌合して突出させ、前記保持部材１３の大径部１３ａと外筒部材９の本体部９ｂに形成した、前記係止孔２５の軸心方向の幅より幅広の係止孔２６、２７に挿入して内部材８に突出させ、該内部材８に設けた前記係止孔２６、２７の軸心方向の幅より幅広のガイド溝２８に係合させてある（図５を参照）。こうした構造により、軸体２内に挿着した移動体２１、ペン体３、保持部材１３および外筒部材９は、内部材８に対して抜け落ちることなくまた回動することなく前後動可能としてある。
【００２０】
外周壁面に前記軸体２の後方内部２ｂの内壁面に形成した雌ねじ部２９に螺着する雄ねじ部３０を設けた内部材８の鍔部８ｆの後端面に当接する当接部３１ａを有したペン芯保持部材３１内に（図１３を参照）、櫛溝３２と前後端に開口して連通したインキ流出溝（図示せず）を有したペン芯３３を挿着し、そのペン芯保持部材３１を、軸体２の後方内部２ｂに雄ねじ部３０を雌ねじ部２９に螺子嵌合して、ペン芯３３の先端面を内部材８の鍔部８ｆの後端面に当接して連接して設け、前記インキ流出溝と内部材８に形成したインキ流通路１６が連通するように装着してある。
【００２１】
次に、図８および図９に示すように、周状に等間隔で突出した３つのばね受け部３４を有した第１調整移動体３５を形成し、該第１調整移動体３５の外周面上に、リング状の第１調整回動体３６を、第１調整移動体３５の外周面に形成した雄ねじ部３７に第１調整回動体３６の内周面に形成した雌ねじ部３８をねじ嵌合して設ける。同様に、図１０および図１１に示すように、前記ばね受け部３４の軸径方向における位置より内側に位置する、周状に等間隔で突出した３つのばね受け部３９を有した第２調整移動体４０の外周面上に、リング状の第２調整回動体４１を、第２調整移動体４０の外周面に形成した雄ねじ部４２に第２調整回動体４１の内周面に形成した雌ねじ部４３をねじ嵌合して設ける。次に、図１２に示すように、組み込んだ第１調整移動体３５と第１調整回動体３６の後方に、第１調整移動体３５のばね受け部３４と第２調整移動体４０のばね受け部３９が周状に等間隔に位置するように第１調整回動体３６の後方に第２調整回動体４１を配し、その状態の第１調整回動体３６と第２調整回動体４１を、軸体２の後方に、第１調整移動体３５のばね受け部３４と第２調整移動体４０のばね受け部３９を、内部材２の鍔部８ｆに形成した前後に貫通した前記ばね受け部３４の幅と略同等の幅を有した６つの貫通凹溝４４（図６を参照）と、ペン芯保持部材３１の当接部３１ａに形成した前後に貫通した前記ばね受け部３４の幅と略同等の幅を有した６つの貫通凹溝４５（図１３を参照）に各々通して内部材８の鍔部８ｆの前端面の近傍に位置するようにして配する。前記第１調整移回動体３６と第２調整移回動体４１の外周面は、軸体２の外周面と略同一面状になるように設けてある。
【００２２】
第２調整移回動体４１の後方には、インキを直に収容可能な軸筒４６が、前記ペン芯保持部材３１の外周面に形成した雄ねじ部４７に内壁面に形成した雌ねじ部４８をねじ嵌合することにより着脱自在に連接してある。図示していないが、当然に前記ねじ嵌合部より軸筒４６内に収容したインキが漏れ出さないように、必要であればパッキン等を設ける。
【００２３】
前記第１調整移回動体３６および第２調整移回動体４１は、軸体２の後端部と軸筒４６の先端部で挟持されるので前後動することはない。第１調整移回動体３６または第２調整移回動体４１を軸体２に対して回動することにより、第１調整移動体３５または第２調整移動体４０は、ばね受け部３４、３９が前記内部材８の鍔部８ｆやペン芯保持部材３１の大径部３１ａに設けた貫通凹溝４４、４５を構成する横壁に当接して回動しないので内部材８に対して前後動可能となる。
【００２４】
前記移動体２１の突起部２２の後端面と前記第１調整移動体３５のばね受け部３４の前端面との間にコイルスプリン４９を張架して、ペン体３および移動体２１を内部材８に対して前方方向に付勢してある。また、外筒部材９の係止突起部１４の後端面と前記第２調整移動体４０のばね受け部３９の前端面との間にコイルスプリン５０を張架して、外筒部材９を内部材８に対して前方方向に付勢してある。コイルスプリング４９のペン体３への付勢はコイルスプリング５０の外筒部材９への付勢力より弱くしてあり、筆圧により先ずペン体３が後方に移動し、ガイド突起２４が外筒部材９および保持部材１３の係止孔２７、２６を構成する後方の壁面に当接することで外筒部材９および保持部材１３が内部材８に対して後方に移動するようにしてある。
【００２５】
本実施例の筆記具１は、軸筒４６内に収容したインキがペン芯３３を介して内部材８に形成したインキ流通路１６に流出し、該インキ流通路１６を通って内部材８の先端部８ａに流出し、スリット１７、１８を介して空間部２０にインキが溜り、各ペン先片５のインキ流出路７を通ってペン体３の先端にインキを充分に供給される。また、筆記時における筆圧により、図１５に示すようにペン体３は後方へ移動し、ペン体３はコイルスプリング４９により前方方向（図１５において左側方向）に付勢されており筆圧の強弱によりペン体３の後退量も変わるので、万年筆のペン先のように筆記時における抑揚感を感ずることができる。また、第１調整回動体３６や第２調整回動体４１を回動して第１調整移動体３５や第２調整移動体４０を前後動させることでペン体３や外筒部材９を付勢する付勢力が変化し、筆圧によるペン体３の後退量や各ペン先片５の開き量を変化させることができるので、同じ筆圧でも筆跡幅や抑揚感に変化をもたらすことができる。
【実施例２】
【００２６】
次に、第２の実施例の筆記具を、図１６を用いて説明する。なお、同じ部材同じ箇所を示す場合は同じ符号を付してある。本実施例の筆記具１０１は、ペン芯３３が、インキカートリッジ１０２に備えられたインキ流出防止用のための開口部を閉塞した蓋（図示せず）をずらして開口部を開口するための後方（図１６において右側方向）に突出した突片１０３を有した構造である点、ペン芯保持部材３１が、インキカートリッジ１０２を挿着する挿着部１０４を有しインキカートリッジ１０２を挿着可能とした構造である点、第２調整移回動体４１の後方に配する軸筒が、ペン芯保持部材３１の雄ねじ部４７にねじ嵌合して第１調整移回動体３６および第２調整移回動体４１を軸体２とで挟持する中継軸筒１０５と、前記インキカートリッジ１０２を収容可能な収容室１０６を有した前記中継軸筒１０５に着脱自在にねじ嵌合した胴軸１０７とで構成された点以外は、第１の実施例と同様に、軸体２、ペン体３、内部材８、外筒部材９、保持部材１３、移動体２１、ガイド突起２４、第１調整移動体３５、第１調整回動体３６、第２調整移動体４０、第２調整回動体４１を同様に形成するとともに、第１の実施例と同様にして組み立てたものである。
【産業上の利用可能性】
【００２７】
本発明は、撓み可能な複数のペン先片を環状に配して、先端側を先窄み状としたペン体を備えた筆記具において、筆記時の筆圧により後方へペン体が移動可能とし、筆圧によるペン体の後退量および各ペン先片間の隙間量を調整したい場合に適用できる。
【符号の説明】
【００２８】
１、１０１  筆記具
２  軸体
３  ペン体
５  ペン先片
６  連接部
７  インキ流出路
８  内部材
９  外部材
１７、１８  スリット
２２  空間部
３４  ばね受け部
３５  第１調整移動体
３６  第１調整回動体
３９  ばね受け部
４０  第２調整移動体
４１  第２調整回動体
４９、５０  コイルスプリング
【図１】
2012091448.tif 000003
【図２】
2012091448.tif 000004
【図３】
2012091448.tif 000005
【図４】
2012091448.tif 000006
【図５】
2012091448.tif 000007
【図６】
2012091448.tif 000008
【図７】
2012091448.tif 000009
【図８】
2012091448.tif 000010
【図９】
2012091448.tif 000011
【図１０】
2012091448.tif 000012
【図１１】
2012091448.tif 000013
【図１２】
2012091448.tif 000014
【図１３】
2012091448.tif 000015
【図１４】
2012091448.tif 000016
【図１５】
2012091448.tif 000017
【図１６】
2012091448.tif 000018